【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
複数の記録ワイヤを有する記録ヘッドが搭載されたキャリッジを走査しながら、前記記録ワイヤを駆動して、記録媒体に情報を印刷するドットインパクトプリンターにおける記録ヘッドの制御方法であって、
各々の前記記録ワイヤは、キャリッジの走査方向における１ドットラインの印刷を担当しており、
前記ドットラインの印刷において、
印刷実行前に、印刷対象の前記ドットラインに、予め設定した特定のドットパターンが、２以上の基準数以上含まれているか否かを判定し、
その判定結果に基づいて、前記ドットラインを印刷することを特徴とする記録ヘッドの制御方法。
【請求項２】
請求項１において、
前記判定結果に基づいて、前記ドットラインを印刷するための前記記録ヘッドの駆動モードを決定することを特徴とする請求項１に記載の記録ヘッドの制御方法。
【請求項３】
請求項１または２において、
前記ドットラインの最大ライン長の領域内に、所定幅のパターン検出領域を予め複数設定しておき、
前記ドットラインの印刷において、
印刷実行前に、印刷対象の前記ドットラインにおける前記パターン検出領域が、前記特定のドットパターンを含む特定領域であるか否かを判定し、
前記ドットラインにおける前記特定領域の数が前記基準数以上であるか否かを判定し、
その判定結果に基づいて、前記ドットラインを印刷するための前記記録ヘッドの駆動モードを決定することを特徴とする記録ヘッドの制御方法。
【請求項４】
請求項３において、
前記記録ヘッドの前記駆動モードとして、発熱量が異なる複数の前記駆動モードを予め設定しておくと共に、各前記駆動モードと前記記録ヘッドの温度とを対応付けておき、
前記各駆動モードに対応付けられている前記記録ヘッドの温度は、第１温度と、前記第１温度よりも低い第２温度の少なくとも２つの温度を含み、
前記ドットラインの印刷において、
印刷実行前に、前記記録ヘッドの温度を検出し、
印刷対象の前記ドットラインにおける前記特定領域の数が前記基準数以上であった場合には、前記第２温度を用いて、検出した前記記録ヘッドの温度に対応する前記駆動モードを選択し、
印刷対象の前記ドットラインにおける前記特定領域の数が前記基準数未満であった場合には、前記第１温度を用いて、検出した前記記録ヘッドの温度に対応する前記駆動モードを選択し、
選択した前記駆動モードにより、前記ドットラインの印刷を実行することを特徴とする記録ヘッドの制御方法。
【請求項５】
請求項４において、
印刷実行前に検出した前記記録ヘッドの温度が予め設定した基準温度以下であった場合には、
前記パターン検出領域が前記特定領域であるか否かの判定結果を用いずに前記記録ヘッドの前記駆動モードを決定することを特徴とする記録ヘッドの制御方法。
【請求項６】
請求項２ないし５のいずれかの項において、
印刷データの印刷品位と、前記記録ヘッドの前記駆動モードとを対応付けておき、
前記ドットラインの印刷において、
印刷対象の前記ドットラインを含む前記印刷データの印刷品位に対応付けられている前記駆動モードの中から決定した前記駆動モードにより、前記ドットラインの印刷を実行することを特徴とする記録ヘッドの制御方法。
【請求項７】
請求項２ないし６のいずれかの項において、
前記特定のドットパターンは、印刷時に同時に駆動される前記記録ワイヤの数、および、同一の前記記録ワイヤの連続駆動回数に基づいて設定されていることを特徴とする記録ヘッドの制御方法。
【請求項８】
情報が印刷される記録媒体の送り方向と略直交する方向に走査されるキャリッジと、
前記キャリッジに搭載され、ドットライン中に印刷ドット列を形成する複数の記録ワイヤを有する記録ヘッドと、
前記記録ヘッドを制御する制御部と、を有し、
前記制御部は、前記ドットラインの印刷実行前に、印刷対象の前記ドットラインに、予め設定した特定のドットパターンが、２以上の基準数以上含まれているか否かを判定し、
その判定結果に基づいて、前記ドットラインを印刷することを特徴とするドットインパクトプリンター。
【請求項９】
請求項８において、
前記制御部は、前記判定結果に基づいて、前記ドットラインを印刷するための前記記録ヘッドの駆動モードを決定することを特徴とするドットインパクトプリンター。
【手続補正２】
【補正対象書類名】明細書
【補正対象項目名】０００８
【補正方法】変更
【補正の内容】
【０００８】
上記の課題を解決するために、本発明は、
複数の記録ワイヤを有する記録ヘッドが搭載されたキャリッジを走査しながら、前記記録ワイヤを駆動して、記録媒体に情報を印刷するドットインパクトプリンターにおける記録ヘッドの制御方法であって、
各々の前記記録ワイヤは、キャリッジの走査方向における１ドットラインの印刷を担当しており、
前記ドットラインの印刷において、
印刷実行前に、印刷対象の前記ドットラインに、予め設定した特定のドットパターンが、２以上の基準数以上含まれているか否かを判定し、
その判定結果に基づいて、前記ドットラインを印刷するための前記記録ヘッドの駆動モードを決定することを特徴としている。
【手続補正３】
【補正対象書類名】明細書
【補正対象項目名】０００９
【補正方法】変更
【補正の内容】
【０００９】
本発明では、このような構成により、特定のドットパターンとして記録ヘッドの急激な温度上昇を引き起こすものを設定しておくことにより、記録ヘッドの温度が１ドットラインを印刷する間の複数の位置において急激に上昇し、このため、記録ヘッドの温度がヘッドコイルの焼損限界温度を越えるおそれがある場合に、焼損を引き起こさないようにすることができる。
【手続補正４】
【補正対象書類名】明細書
【補正対象項目名】００１０
【補正方法】変更
【補正の内容】
【００１０】
また、本発明では、特定のドットパターンの判定結果に基づいて、ドットラインを印刷するための記録ヘッドの駆動モードを決定することを特徴としている。これにより、記録ヘッドの温度がヘッドコイルの焼損限界温度を越えるおそれがある場合に、焼損を引き起こさない駆動モードで印刷を実行することができる。一方、記録ヘッドの急激な温度上昇は発生するものの、このような温度上昇が１ドットライン中において予め設定した数未満の場所でしか起こらないために、記録ヘッドの温度がヘッドコイルの焼損限界温度を越えないと想定される場合には、駆動モードの変更を行わないようにすることができる。よって、ヘッドコイルの焼損を確実に防止しつつ、必要以上の印刷スループットの低下を抑制できる。
【手続補正５】
【補正対象書類名】明細書
【補正対象項目名】００１６
【補正方法】変更
【補正の内容】
【００１６】
次に、本発明は、
情報が印刷される記録媒体の送り方向と略直交する方向に走査されるキャリッジと、
前記キャリッジに搭載され、ドットライン中に印刷ドット列を形成する複数の記録ワイヤを有する記録ヘッドと、
前記記録ヘッドを制御する制御部と、を有し、
前記制御部は、前記ドットラインの印刷実行前に、印刷対象の前記ドットラインに、予め設定した特定のドットパターンが、２以上の基準数以上含まれているか否かを判定し、
その判定結果に基づいて、前記ドットラインを印刷することを特徴とするドットインパクトプリンターである。また制御部は、前記判定結果に基づいて、前記ドットラインを印刷するための前記記録ヘッドの駆動モードを決定して、前記ドットラインを印刷することを特徴とする。